(57)【要約】【課題】一対の噴出ヘッド３を上端より突設して二種類の液を噴出できる如く構成した双頭の液体噴出容器であって、他方の噴出ヘッドを一緒に押し下げてしまうという様な不都合を防止でき、また、一方の噴出ヘッドからの噴出液の種類等を示すことができる双頭液体噴出容器を提案する。【解決手段】一方の噴出ヘッド３ａ頂面上に載置した状態から他方の噴出ヘッド３ｂ頂面へ載置した状態への回動が可能に支持されたプレート１８を設け、噴出しない方のヘッド上にプレート１８を載置することにより、目視により容易に認識できるとともに、プレートが押し下げの邪魔もする。【選択図】図１
2004083116.tif 000002
【特許請求の範囲】
【請求項１】
それぞれ噴出口２，２を備えた一対の噴出ヘッド３ａ，３ｂを上方付勢状態で押し下げ可能に上端に突設するとともに、各噴出ヘッドを上下動させることにより、各ヘッドの噴出口と連通する収納部の液をそれぞれ各噴出口より噴出する如く構成した双頭の液体噴出容器であって、一方の噴出ヘッド３ａ頂面上に載置した状態から他方の噴出ヘッド３ｂ頂面上に載置した状態への回動が可能に支持されたプレート１８を設けてなることを特徴とする双頭液体噴出容器。
【請求項２】
上記プレート１８の表裏に表示マーク２４を付設してなる請求項１記載の双頭液体噴出容器。
【請求項３】
上端を開口した有底筒状のケース体Ａと、該ケース体Ａ内にそれぞれ嵌合させた一対の胴部７，７上端よりそれぞれ口頸部８，８を起立してなる一対の容器体Ｂ，Ｂと、各口頸部８，８にそれぞれ装着筒９，９を嵌合させることにより各容器体Ｂ，Ｂにそれぞれ装着するとともに、上端に上方付勢状態で押し下げ可能にそれぞれ噴出ヘッド３ａ，３ｂを突設した一対のポンプＣ，Ｃと、上記ケース体Ａ上端に下端周縁部を嵌着した周壁１３上端縁より延設した頂壁１４中央の窓孔より両噴出ヘッドを押し下げ可能に突出させた肩カバーＤとを備え、各噴出ヘッドを上下動させることにより、各ヘッドの噴出口と連通する容器体内収納部の液をそれぞれ噴出口より噴出する如く構成してなり、上記肩カバーに支持された支持板１９を各噴出ヘッド３ａ，３ｂ間に立設するとともに、支持板１９上端部に一端縁を回転可能に連結して一方の噴出ヘッド３ａの頂面上に載置した状態から他方の噴出ヘッド３ｂ頂面上に載置した状態への回動が可能なプレート１８を設けたことを特徴とする双頭液体噴出容器。
【発明の詳細な説明】
【０００１】
【発明の属する技術分野】
本発明は双頭液体噴出容器に関する。
【０００２】
【従来の技術】
一対の噴出ヘッドを上端より突設して二種類の液を噴出できる如く構成した双頭液体噴出容器が知られている。
【０００３】
例えば、二つの液収納部を有し、各収納部とそれぞれ連通する一対の噴出ヘッドを上方付勢状態で押し下げ可能に突出し、各噴出ヘッドを押し下げることにより、内臓した液噴出機構によりそれぞれから別の液が噴出する如く構成したものである。
【０００４】
【発明が解決しようとする課題】
これら容器は、二つの液体噴出容器を合体させて一つの容器とした形態のものであるため、必然的に噴出ヘッド相互が近接しており、その結果、使用の際に誤って他方の噴出ヘッドを一緒に押圧して他方の意図しない液も噴出してしまうという不都合があった。
【０００５】
本発明は上記した点に鑑みてなさたもので、他方の噴出ヘッドを一緒に押し下げてしまうという様な不都合を防止でき、また、一方の噴出ヘッドからの噴出液の種類等を示すことができてより使用し易い双頭液体噴出容器を提案するものである。
【０００６】
【課題を解決するための手段】
本発明の双頭液体噴出容器は上記課題を解決するため、それぞれ噴出口２，２を備えた一対の噴出ヘッド３ａ，３ｂを上方付勢状態で押し下げ可能に上端に突設するとともに、各噴出ヘッドを上下動させることにより、各ヘッドの噴出口と連通する収納部の液をそれぞれ各噴出口より噴出する如く構成した双頭の液体噴出容器であって、一方の噴出ヘッド３ａ頂面上に載置した状態から他方の噴出ヘッド３ｂ頂面上に載置した状態への回動が可能に支持されたプレート１８を設けてなることを特徴とする双頭液体噴出容器として構成した。
【０００７】
また、請求項２発明の容器は、上記プレート１８の表裏に表示マーク２４を付設してなる請求項１記載の双頭液体噴出容器として構成した。
【０００８】
また、請求項３発明の容器は、上端を開口した有底筒状のケース体Ａと、該ケース体Ａ内にそれぞれ嵌合させた一対の胴部７，７上端よりそれぞれ口頸部８，８を起立してなる一対の容器体Ｂ，Ｂと、各口頸部８，８にそれぞれ装着筒９，９を嵌合させることにより各容器体Ｂ，Ｂにそれぞれ装着するとともに、上端に上方付勢状態で押し下げ可能にそれぞれ噴出ヘッド３ａ，３ｂを突設した一対のポンプＣ，Ｃと、上記ケース体Ａ上端に下端周縁部を嵌着した周壁１３上端縁より延設した頂壁１４中央の窓孔より両噴出ヘッドを押し下げ可能に突出させた肩カバーＤとを備え、各噴出ヘッドを上下動させることにより、各ヘッドの噴出口と連通する容器体内収納部の液をそれぞれ噴出口より噴出する如く構成してなり、上記肩カバーに支持された支持板１９を各噴出ヘッド３ａ，３ｂ間に立設するとともに、支持板１９上端部に一端縁を回転可能に連結して一方の噴出ヘッド３ａの頂面上に載置した状態から他方の噴出ヘッド３ｂ頂面上に載置した状態への回動が可能なプレート１８を設けたことを特徴とする双頭液体噴出容器として構成した。
【０００９】
【発明の実施の形態】
以下、本発明の実施の形態を図面を参照して説明する。
【００１０】
図１に示す如く本発明の双頭液体噴出容器１は、それぞれ噴出口２，２を備えた一対の噴出ヘッド３（３ａ，３ｂ）を上方付勢状態で押し下げ可能に上端に突設するとともに、各噴出ヘッド３を上下動させることにより、各ヘッドの噴出口と連通する収納部の液を各噴出口よりそれぞれ噴出する如く構成したものである。この様な液の噴出を行うための噴出機構は公知形態のものが採用でき、例えば、シリンダやピストンを備えた公知のポンプ形態のもの、或いはガス圧により液を噴出させるエアゾール形態のものなどが採用できる。
【００１１】
図示例に於ける双頭液体噴出容器１は、ケース体Ａと、一対の容器体Ｂ，Ｂと、各容器体に装着した一対のポンプＣ，Ｃと、肩カバーＤとを備えている。
【００１２】
ケース体Ａは、各容器体を嵌合するもので、底壁４周縁部より周壁５を起立した有底筒状をなしている。また、周壁５上端部には周壁５より小外径の小外径部６を周設している。
【００１３】
各容器体Ｂ，Ｂは、それぞれ内部を液の収納部とした胴部７，７上端より、胴部より小径の口頸部８，８を起立しており、ケース体Ａ内にそれぞれ胴部７，７を嵌合させて装着している。各胴部はケース体Ａ内にガタツキの無いように嵌合させており、図示例では、左右中央側面をフラットにした半楕円筒状に形成して両容器体のフラット面を当接させた状態でケース体Ａ内にピッタリ嵌合する如く構成している。
【００１４】
各ポンプＣ，Ｃは、各口頸部８，８にそれぞれ装着筒９，９を嵌合させて各容器体Ｂ，Ｂにそれぞれ装着するとともに、上端に上方付勢状態で押し下げ可能に噴出ヘッド３ａ，３ｂを突設している。各ポンプは公知のポンプ機構を備えており、図示しないで説明すると、例えば、装着筒９により上端を固定したシリンダを容器体内に垂下するとともに、シリンダ下端には吸い上げ用のパイプを嵌着して容器体下端部に垂下している。また、シリンダ内に摺動可能に嵌合させたピストンを外周下部より突設したステムをシリンダ上方に突設させ、その先端に噴出ヘッドを嵌着している。更にシリンダ内下部には吸込み弁を、ステム内には吐出弁をそれぞれ設けている。
【００１５】
図示例に於いて、装着筒９は、その上端縁より内方に延設したフランジ１０を介して上方へ案内筒１１を立設しており、また、噴出ヘッド３は、下端開口の有頂筒状をなし、前部上端にそれぞれノズル１２，１２を突設し、各ノズル先端に噴出口２，２を開口している。噴出ヘッド３の周壁は左右中心側がフラットな楕円筒状をなしており上方に若干テーパが掛かっている。
【００１６】
肩カバーＤは、上記ケース体Ａ上端に周壁１３下端部を嵌着するとともに、周壁１３上端より延設した頂壁１４中央の窓孔より両噴出ヘッド３ａ，３ｂを押し下げ可能に突設させたもので、図示例では、ケース体の上記小外径部６上端外周に嵌合させた嵌合筒部１５をフランジ１６を介して周壁１３外周下部より延設し、また、頂壁１４裏面から両装着筒９，９外周に嵌合した嵌合筒１７を垂設している。
【００１７】
本発明では、上記した如き双頭液体噴出容器に於いて、一方の噴出ヘッド３ａ頂面上に載置した状態から他方の噴出ヘッド３ｂ頂面に載置した状態への回動が可能に支持されたプレート１８を設けている。この様なプレート１８を設けることにより、液を噴出させない他方の噴出ヘッド３ｂ上にプレート１８を回動載置させておけば、液を噴出させる一方の噴出ヘッド３ａの押圧部分が明瞭となり、誤って他方のヘッドを押し下げるという不都合を防止できるものである。また、一方の噴出ヘッド３ａを押し下げる場合に押圧する指が多少はみ出してもプレート１８の存在で他方の噴出ヘッドを押し下げる邪魔をする。
【００１８】
プレート１８の支持手段は上記の如き要件を満たせば種々選択できるが、一例として、肩カバーＤに支持された支持板１９を各噴出ヘッド３ａ，３ｂ間に立設するとともに、支持板１９上端部に一端縁を回転可能に連結して一方の噴出ヘッド３ａの頂面から他方の噴出ヘッド３ｂの頂面への回動が可能にプレート１８を支持することができる。
【００１９】
図示例では、肩カバーＤの嵌合筒１７左右方向中間部を前後に掛け渡した連結杆２０上より両噴出ヘッド３ａ，３ｂ間に支持板１９を立設しており、また、支持板１９の上面には前後に延びる軸受凹部２１を凹設している。軸受凹部２１は、下端部の中空円柱状の軸受部と、該軸受部より延設して上面に開口した上方が広いテーパ状の導入溝部とから構成している。
【００２０】
また、プレート１８は、噴出ヘッドの頂面より相似して大きい半楕円板状をなし、中心側に切欠凹部２２を凹設するとともに、該凹部の縁部側に円柱状の軸２３を掛け渡して構成している。そして、軸２３を上記軸受凹部２１の軸受部に回動可能に嵌合させて装着している。
【００２１】
プレート１８の大きさ形状は特に限定が無いが、上記した如き回動が可能であり、頻繁に回動させることを考慮して、噴出ヘッド頂面周縁より突出した部分を有する大きさのものが、指を掛けて回動し易いため好ましい。
【００２２】
また、プレート１８にはその表裏に表示マーク２４を付設しても良い。表示マーク２４は、他方の噴出ヘッドから噴出される液の種類等を記載した文字、或いは矢印等の記号、絵，模様等の種々の形態のものを採用できる。例えば、一方の噴出ヘッド３上に載置された状態で表面となる一面に他方の噴出ヘッド３より噴出される液の種類等の表示マーク２４を形成し、その裏面には一方の噴出ヘッド３より噴出される液の種類等の表示マーク２４を形成する。或いは図示例の如く、矢印等の液の種類に直接関係のない記号等を付設しても良い。これら表示マークは、印刷によって施しても良く、或いは印刷層を備えたシール材を貼着することにより形成することも可能である。
【００２３】
上記の如く構成した双頭液体噴出容器１は、例えば、図１の状態からプレート１８の載置していない一方の噴出ヘッド３ａを押圧すれば一方の容器体Ｂ内の液が噴出口２より噴出する。この際他方の噴出ヘッド３ｂはプレート１８が中心部にその一端を回動可能に支持しているため、押圧する指が他方の噴出ヘッド方面へ多少ずれた場合でもその枢着部分は押し下げられないため、誤って他方の噴出ヘッド３ｂを押し下げることはない。また、他方の容器体Ｂ内の液を噴出したい場合には、プレート１８を一方の噴出ヘッド３ａ上に回動させた後、他方の噴出ヘッド３ｂを押し下げれば噴出口２より液が噴出する。
【００２４】
図４は他の実施例を示すもので、図１の実施例に於いて支持板とプレートの構造を変えたものである。本実施例では、両噴出ヘッド３ａ，３ｂ間に立設した支持板１９に嵌着した軸受部材２５を介して回動可能にプレート１８を設けている。この軸受部材２５は支持板１９に対して水平回動可能に嵌合しており、従って、プレート１８を起立させた状態で水平に回転させることができる。
【００２５】
さらに具体的にいえば、支持板１９は、肩カバーＤの頂壁１４内周前後に下端部外面をそれぞれ連結して上方に起立し、前後方向中央部を貫通する円筒状の軸支部２６を設けている。また、軸受部材２５は、上記軸支部２６に回転可能に嵌合させた連結軸２７の上部に図１の実施例と同様の軸受凹部２１を有する軸受部２８を備え、軸受凹部２１に図１の実施例と同様のプレート１８を軸着させている。その他は図１の実施例と実質的に同じであるため説明を省く。
【００２６】
【発明の効果】
以上説明した如く本発明の液体噴出容器は、既述構成としたことにより、液噴出に際して目視により噴出させる側の噴出ヘッドが容易に認識できるとともに、噴出させない噴出ヘッドの押し下げを防止でき、従って、誤って他方の噴出ヘッドを同時に押す等の誤りを防止でき、必要な一方の液のみを確実に噴出させることができるものである。また、プレートは回動させるだけで他方の噴出ヘッド上に移動するため、噴出する液の切り替えも容易に行えるものである。
【００２７】
また、プレートの表裏に表示マークを付設してなるものにあっては、プレートが乗っていない反対側の噴出ヘッドより噴出される液の種類の表示等を行えるため、より使い勝手が良くなる。
【００２８】
また、請求項３発明の容器では、上記した如く一方の液のみを確実に噴出させることができ、切り替えも容易である等の効果に加え、容器体及びポンプは噴出ヘッドを除いてケース体及び肩カバー内に収納されているため外観が良好となるとともに、全体をガタツキなくコンパクトに形成でき、より取り扱いが便利となる。
【図面の簡単な説明】
【図１】本発明の一実施例を示す一部切欠正面図である。
【図２】同実施例の一部切欠側面図である。
【図３】同実施例の平面図である。
【図４】本発明の他の実施例を示す斜視図である。
【図５】同実施例のプレート部分の分解斜視図である。
【符号の説明】
２…噴出口，３，３ａ，３ｂ…噴出ヘッド，７…容器体胴部，
８…容器体口頸部，９…装着筒，１３…肩カバー周壁，１４…肩カバー頂壁，
１８…プレート，１９…支持板，２４…表示マーク，Ａ…ケース体，Ｂ…容器体，
Ｃ…ポンプ，Ｄ…肩カバー
【図１】
2004083116.tif 000003
【図２】
2004083116.tif 000004
【図３】
2004083116.tif 000005
【図４】
2004083116.tif 000006
【図５】
2004083116.tif 000007